(57)【特許請求の範囲】
【請求項１】
ＬＥＤ等の発光素子を表面側に配列したディスプレイパネルの裏面と画像表示装置のマウントプレートの表面とを突き合わせ配置し、ディスプレイパネルに、その表面側からまたはマウントプレートの裏面側からの回転ネジのねじ込みによってマウントプレートとの連接を可能とする双方向連接手段を備えてなる画像表示装置におけるディスプレイパネルの取付け構造であって、前記双方向連接手段は、ディスプレイパネルの表面側から開けた通し孔と、この通し孔から裏面側に向けて同軸上に形成され且つ前記通し孔の内径とほぼ同じ呼び径としたディスプレイパネルの裏面側に臨む位置に組み込まれたインサートナットからなり、ディスプレイパネルの表面側から回転ネジのねじ込みによってマウントプレートとの連接を行なう場合、ディスプレイパネルの表面側から差し込む回転ネジは、前記通し孔及びインサートナットの雌ネジよりも小さい呼び径を持ち、マウントプレートには前記回転ネジが螺合可能な操作孔を予め形成し、前記回転ネジが前記操作孔に螺合することにより連接され、ディスプレイパネルの裏面側から回転ネジのねじ込みによってマウントプレートとの連接を行なう場合、マウントプレートの裏面側から差し込む回転ネジは、前記ディスプレイパネルに設けたインサートナットの雌ネジに螺合可能であって、マウントプレートには前記回転ネジを差し込み可能な内径を持つ操作孔を予め形成し、前記回転ネジを操作孔に差し込み前記インサートナットの雌ネジに螺合し且つディスプレイパネルの表面側から補助ビスを差し込んで前記インサートナットの雌ネジに螺合し、ディスプレイパネルとマウントプレートとの連接を行う画像表示装置におけるディスプレイパネルの取付け構造。
【発明の詳細な説明】
【０００１】
【発明の属する技術分野】
本発明は、たとえばＬＥＤランプやチップＬＥＤ等の発光素子を二次元的に一様に多数個配列したアセンブリのディスプレイパネルに係り、特に表示用の架台等へのディスプレイパネルの取付け及び取り外しが簡単に行えるようにした取付け構造に関する。
【０００２】
【従来の技術】
発光ダイオード（ＬＥＤ）の単体を画素とした画像ディスプレイは、たとえば屋外の広告や交通の表示のための大型のものから、各種の信号機や自動車等のインディケータ及びテレビジョンの分野まで広がっている。
【０００３】
このような画像ディスプレイは、たとえばＲ，Ｇ，Ｂの多数のＬＥＤを同じ平面内に二次元的にパネルの前面に集合配列し、このパネルを取付け対象のマウント部に固定するというのがその基本的な構成である。この場合、パネルの裏面には各ＬＥＤへの通電用の配線やその他の機能素子を搭載した基板が組み込まれるので、マウント部はパネルの外郭形状よりも少し小さい開口を開けた額縁状とするのが一般的であり、この開口部分を配線や基板の組込みに利用している。
【０００４】
このような画像ディスプレイにおけるパネルの取付けにおいては、従来では、パネルの前側からのみまたはマウント部の裏面側からのみ取付けと取り外しができる構成が採用されていた。図１１はパネルの前側から及び図１２はマウント部の裏面側からの取り扱いができるようにした例を示す側面図である。
【０００５】
図１１において、ディスプレイ用のパネル５１はたとえばその正面形状を正方形や長方形とし、前面に多数のＬＥＤ５２を配列するとともに裏面にこれらのＬＥＤ５２に電気的に導通させた基板５３を取り付けたものである。そして、パネル５１には基板５３と干渉しない複数の位置に取付け孔５１ａを開け、この中に取付けビス５４を前面側から差し込み可能としている。
【０００６】
一方、パネル５１と取り付ける画像表示装置の本体側には、同図の（ｂ）に示すように、基板５３を差し込める程度の大きさの開口を開けたマウントプレート５５を設ける。そして、マウントプレート５５には、取付けビス５４をねじ込むためにタップを切ったネジ孔５５ｂが設けられている。
【０００７】
図示の例では、同図の（ｂ）に示すように、取付けビス５４をパネル５１に開けた取付け孔５１ａに差し込んでいき、この取付けビス５４がマウントプレート５５のネジ孔５５ｂに入り込ませながらドライバを利用して回す作業を行う。これにより、取付けビス５４とネジ孔５５ｂとが螺合し、マウントプレート５５にパネル５１を固定することができる。
【０００８】
一方、図１２の例は、パネル５１には先の例の取付け孔５１ａに代えて、裏面側からインサートナット５１ｂを埋め込み、マウントプレート５５にはネジ孔５５ｂに代えてインサートナット５１ｂに螺合する取付けビス５６を差し込める程度の内径とした通し孔５５ｃを開けたものである。
【０００９】
このような構成では、同図の（ｂ）に示すように、マウントプレート５５の前面にパネル５１を突き合わせ配置した後、取付けビス５６を通し孔５５ｃから差し込んでインサートナット５１ｂに螺合させることにより、パネル５１がマウントプレート５５に固定される。
【００１０】
【発明が解決しようとする課題】
ところが、図１１の例ではマウントプレート５５の前面側から取付けビス５４によるパネル５１の取付けと取り外しとができるのみである。このため、表示装置の全体の設計の観点からみると、パネル５１の交換等に備えてこのような前面側からだけのハンドリングを見越した設計とする必要があり、設計の自由度を拘束してしまう。また、図１２の例でも、マウントプレート５５の裏面側からだけ取付けビス５６を操作することによるので、同様に設計の自由度に影響する。
【００１１】
このように従来の画像ディスプレイにおけるパネル５１の取付け構造では、パネル５１を表示装置本体に取り付けるためのマウントプレート５５の前面側からのみまたは裏面側からのみの作業でしか対応できない。このため、画像表示装置の組立てや保守点検時の分解のために、他の部品の組立てや分解の順序を考慮した設計とすることが必要となる。したがって、各部品どうしの間の組立ての関係等を含めて設計の自由度が損なわれることになり、たとえばＬＥＤ５２を配列したパネル５１を製品として出荷する場合、マウントプレート５５を含む表示装置の全体をアセンブリするユーザー側にとっては表示装置自体の設計にも大きく影響することになる。
【００１２】
本発明において解決すべき課題は、ＬＥＤの単体を画素として配列したディスプレイパネルをその取付け面の表側からでも裏側からでも着脱できるようにして組立て・分解を容易にするとともに表示装置の本体側の設計の自由度にも干渉しないディスプレイパネルの取付け構造を提供することにある。
【００１３】
【課題を解決するための手段】
本発明は、ＬＥＤ等の発光素子を表面側に配列したディスプレイパネルを画像表示装置のマウントプレートに回転ネジにより着脱可能に取り付ける取付け構造であって、ディスプレイパネルの裏面とマウントプレートの表面とを突き合わせ配置し、ディスプレイパネルに、その表面側からまたはマウントプレートの裏面側からの回転ネジのねじ込みによってマウントプレートとの連接を可能とする双方向連接手段を備えてなることを特徴とする。
【００１４】
この構成では、マウントプレートに、ディスプレイパネルの表面側から回転ネジが螺合する雌ネジかマウントプレートの裏面側から差し込む回転ネジを通すための孔を開けておくことによって、ディスプレイパネルをその表面側からでもマウントプレートの裏面側からでも取付け・取り外しが可能となる。
【００１５】
【発明の実施の形態】
請求項１に記載の発明は、ＬＥＤ等の発光素子を表面側に配列したディスプレイパネルの裏面と画像表示装置のマウントプレートの表面とを突き合わせ配置し、ディスプレイパネルに、その表面側からまたはマウントプレートの裏面側からの回転ネジのねじ込みによってマウントプレートとの連接を可能とする双方向連接手段を備えてなる画像表示装置におけるディスプレイパネルの取付け構造であって、前記双方向連接手段は、ディスプレイパネルの表面側から開けた通し孔と、この通し孔から裏面側に向けて同軸上に形成され且つ前記通し孔の内径とほぼ同じ呼び径としたディスプレイパネルの裏面側に臨む位置に組み込まれたインサートナットからなり、ディスプレイパネルの表面側から回転ネジのねじ込みによってマウントプレートとの連接を行なう場合、ディスプレイパネルの表面側から差し込む回転ネジは、前記通し孔及びインサートナットの雌ネジよりも小さい呼び径を持ち、マウントプレートには前記回転ネジが螺合可能な操作孔を予め形成し、前記回転ネジが前記操作孔に螺合することにより連接され、ディスプレイパネルの裏面側から回転ネジのねじ込みによってマウントプレートとの連接を行なう場合、マウントプレートの裏面側から差し込む回転ネジは、前記ディスプレイパネルに設けたインサートナットの雌ネジに螺合可能であって、マウントプレートには前記回転ネジを差し込み可能な内径を持つ操作孔を予め形成し、前記回転ネジを操作孔に差し込み前記インサートナットの雌ネジに螺合し且つディスプレイパネルの表面側から補助ビスを差し込んで前記インサートナットの雌ネジに螺合してなるものであり、ディスプレイパネルをその表面側からでもマウントプレートの裏面側からでも取付け・取り外しできるという作用を有する。
【００２６】
以下に、本発明の実施の形態の具体例を図面を参照しながら説明する。
図１は本発明の一実施の形態によるディスプレイパネルの取付け構造の概要を示す分解斜視図である。
【００２７】
図において、ほぼ正方形の正面形状を持つディスプレイパネル１は、表示装置の本体側の一部として設けられる平板状のマウントプレート２に固定されるものであり、この関係は以下に述べる各取付け構造において共通である。そして、このマウントプレート２には、ディスプレイパネル１の外郭形状よりも小さな開口２ａを開けるとともに、この開口２ａ縁に沿ってタップ孔または通し孔として複数の操作孔２ｂを設けている。
【００２８】
図２及び図３はディスプレイパネル１の具体例であって、図２の（ａ）及び（ｂ）はそれぞれ正面図及び背面図、図３は図２の（ａ）のＡ−Ａ切欠右側面図でありその要部を拡大して示すものである。
【００２９】
ディスプレイパネル１の表面側にはＲ，Ｇ，Ｂの多数のＬＥＤ３を一様な配列パターンで配置したものであり、図２の（ａ）においてはその一部のみを図示している。また、裏面側には各ＬＥＤ３に電気的に導通させた基板３ａを図３に示すように背部方向に少し突き出した配置として取り付けるとともに、外周縁には額縁状に配置されてマウントプレート２の表面との間をシールするための防水パッキン３ｂを設けている。
【００３０】
ディスプレイパネル１の外周縁に沿う部分には、マウントプレート２の操作孔２ｂと整合する複数の位置に、通し孔４ａとインサートナット４ｂとを同軸上に設ける。通し孔４ａはディスプレイパネル１の表面側から形成され、インサートナット４ｂはこの通し孔４ａの端部から裏面側に臨む位置に組み込まれたものである。そして、通し孔４ａの内径はインサートナット４ｂの呼び径とほぼ等しいか僅かに大きくしたもので、インサートナット４ｂはその内周に雌ネジを軸線方向の全長に形成している。インサートナット４ｂの呼び径をたとえばＭ３．５とするとき、通し孔４ａの内径は３．５ｍｍとすればよく、以下はこの値を用いて説明する。無論、ディスプレイパネル１の種類によって通し孔４ａの内径が様々に変わるので、インサートナット４ｂの呼び径は、Ｍ２．６やＭ４等として対応させることは当然である。
【００３１】
このような通し孔４ａ及びインサートナット４ｂを設けることによって、図４の（ａ）及び（ｂ）に示すように、マウントプレート２の表面側及び裏面側のいずれかからでもディスプレイパネル１を着脱操作することができる。なお、図１は図４の（ａ）に対応させたものとして各部材に符号を付している。
【００３２】
図４の（ａ）の表面側からの取付けの場合には、マウントプレート２の操作孔２ｂは呼び径をＭ３とした雌ネジ孔２ｂ−１とし、通し孔４ａから差し込む取付けビス５もその呼び径をＭ３のものを使用する。これにより、取付けビス５は通し孔４ａに差し込めると同時にインサートナット４ｂと螺合しないまま、雌ネジ孔２ｂ−１にねじ込まれる。したがって、取付けビス５をマウントプレート２に直接ねじ込むことができ、ディスプレイパネル１をマウントプレート２の表面側から取り付けることができる。そして、ディスプレイパネル１を取り外すときも、取付けビス５を逆向きに回して雌ネジ孔２ｂ−１から抜き取ればよい。
【００３３】
図４の（ｂ）の裏面側からの取付けの場合では、マウントプレート２の操作孔２ｂは内径が４ｍｍ程度の通し孔２ｂ−２とし、マウントプレート２の裏面側から差し込む取付けビス６はインサートナット４ｂに螺合する呼び径がＭ３．５ｍｍのものを使用する。これにより、取付けビス６は通し孔２ｂ−２を抜けてインサートナット４ｂにねじ込むことができ、ディスプレイパネル１をマウントプレート２の裏面側から差し込む取付けビス６によってこのマウントプレート２に取り付けることができる。また、ディスプレイパネル１の取り外しも、取付けビス６を逆向きに回してインサートナット４ｂから抜き取るだけでよい。
【００３４】
ここで、取付けビス６の長さは、これをインサートナット４ｂに強くねじ込んだときにインサートナット４ｂの中の中途部分まで入り込む程度のものとする。そして、ディスプレイパネル１の表面側からその呼び径がＭ３．５の補助ビス６ａを通し孔４ａに差し込んでインサートナット４ｂにねじ込むようにすれば、ディスプレイパネル１の表面からマウントプレート２及び内部への水の浸入を防ぐことができる。なお、補助ビス６ａは、裏面側からねじ込む取付けビス６と共通の部品としてもよい。
【００３５】
以上のように、取付けビス５によってディスプレイパネル１の表面側から固定するときには、予めマウントプレート２には雌ネジ孔２ｂ−１を操作用の孔として開けておけばよい。また、取付けビス６によってマウントプレート２の裏面側から固定するときには、マウントプレートには通し孔２ｂ−２を操作用の孔として開けておけばよい。したがって、画像表示装置の本体側に備えるマウントプレート２については、その操作用の孔の仕様の変更をするだけで、表面側からまたは裏面側からのマウントプレート２に対するディスプレイパネル１の着脱が可能となる。
【００３６】
図５〜図７は別の例であって、図５の（ａ）はディスプレイパネル１の切欠右側面図、同図の（ｂ）は要部の背面図である。なお、先に説明した部材と同じものについては共通の符号で指示し、その詳細な説明は省略する。
【００３７】
ディスプレイパネル１には、先の例における通し孔４ａとインサートナット４ｂとを設ける部分に、内径が３．５ｍｍの通し孔７ａとこれと同軸上に配置したボス取付け孔７ｂを同軸上に設ける。ボス取付け孔７ｂは、同図の（ｂ）に示すように通し孔７ａよりも大きな開口面積を持つ六角形の断面形状を持つ。
【００３８】
一方、マウントプレート２には、その表面側には操作孔２ｂと同軸上になるように配置できるボス８を別体の部品として付帯する。このボス８は、ディスプレイパネル１のボス取付け孔７ｂにきっちりと嵌合して共回りしないように、図６の（ａ）に示すようにその外郭をボス取付け孔７ｂと整合する六角柱状としたものである。そして、ボス８にはその軸線方向の全長に呼び径がＭ３．５の雌ネジ孔８ａを設ける。
【００３９】
なお、ボス８は六角柱の形状のものだけでなく、図６の（ｂ）に示す四角柱状のものや、同図の（ｂ）に示すように円柱状であってその周面の一部を平面状に面取りしたカット面８ｂを形成したものであってもよく、共回りしない形状のものであればよい。そして、これらのボス８の形状に応じてディスプレイパネル１のボス取付け孔７ｂに開口形状を合わせることによって、その共回りを防止することができる。
【００４０】
マウントパネル２の操作孔２ｂは、表面側からの取付け及び裏面側からの取付けの仕様に応じて、図７の（ａ）及び（ｂ）に示すように、雌ネジ孔２ｂ−３とするかまたは通し孔２ｂ−４とする。この場合、雌ネジ孔２ｂ−３はその呼び径をＭ３．５としたものであり、通し孔２ｂ−４の内径は４ｍｍ程度とする。
【００４１】
図７の（ａ）の表面側からのディスプレイパネル１の取付けでは、その呼び径がＭ３．５であって、マウントプレート２の雌ネジ孔２ｂ−３に螺合できる程度の軸線長さの取付けビス９を使用する。そして、取付けに際しては、ボス８は用いないものとし、取付けビス９を通し孔７ａから差し込んでマウントプレート２の雌ネジ孔２ｂ−３にねじ込めば、取付けビス９によってマウントプレート２に直にディスプレイパネル１を固定することができる。また、その取り外しも、先の例と同様にマウントプレート２の表面側から取付けビス９を逆向きに回せばよい。
【００４２】
図７の（ｂ）の裏面側からのディスプレイパネル１の取付けの仕様とする場合では、ボス取付け孔７ｂのそれぞれにボス８を差し込み、その雌ネジ孔８ａにねじ込まれるボス固定ビス１０によってボス８をディスプレイパネル１に一体に組み込む。すなわち、マウントプレート２をその裏面側から取り付ける仕様とする場合では、ディスプレイパネル１に予め形成したボス取付け孔７ｂの中にボス８を取り付ける組立てを先に行う。次いで、その呼び径がＭ３．５の取付けビス１１を通し孔２ｂ−４に通してボス取付け孔７ｂの中に固定されているボス８の雌ネジ孔８ａにねじ込むことにより、ディスプレイパネル１をマウントプレート２の裏面側からの操作によってこのマウントプレート２に固定することができる。また、その取り外しも取付けビス１１を逆向きに回せば、ボス８をそのまディスプレイパネル１に残してマウントプレート２からディスプレイパネル１を取り外すことができる。
【００４３】
なお、設置場所の環境によっては、ボス固定ビス１０を取り外すことによって、ディスプレイパネル１を取り外して表側からの内部の保守点検が可能である。この場合、ボス８はマウントプレート２に固定されたままなので、点検が終わればディスプレイ１を元に戻してボス固定ビス１０によって固定するだけの作業で済む。
【００４４】
図８〜図１０は更に別の例であって、これは先の例におけるボス８に代えてスペーサを利用したものである。なお、この例においても先に説明したものと同じ部材については共通の符号で指示する。
【００４５】
図８はディスプレイパネル１の切欠右側面図であり、ディスプレイパネル１には、マウントプレート２の操作孔２ｂと整合する位置に内径が３．５ｍｍの通し孔１２ａを表面側から開けるとともに、裏面側からはこれらの通し孔１２ａに連通するスペーサ用の装着溝１２ｂを設ける。この装着溝１２ｂは、通し孔１２ａの配列方向に沿って環状に形成されたもので、その深さはディスプレイパネル１の肉厚のほぼ半分よりも少し大きい。
【００４６】
一方、マウントプレート２には、ディスプレイパネル１の装着溝１２ｂにはめ込むスペーサ１３を別体の部品として付帯する。このスペーサ１３は装着溝１２ｂにきっちりと嵌合する額縁状の形状（図９の（ａ））としたもので、各通し孔１２ａに整合する位置に呼び径がＭ３．５の雌ネジ孔１３ａを設けている。
【００４７】
なお、スペーサ１２は額縁状とするのに代えて、図９の（ｂ）に示すように、装着溝１２ｂのコーナー部分に相当するＬ字状の４個のスペーサピース１３ｂとしてこれのそれぞれに雌ネジ孔１３ｂ−１を開けたものとしたり、装着溝１２ｂの直線部分の一部として埋め込める程度の長さとした棒状スペーサ１３ｃとしてこれらの雌ネジ孔１３ｃ−１を開けたものとしてもよい。
【００４８】
マウントパネル２の操作孔２ｂは、表面側からの取付け及び裏面側からの取付けの仕様に応じて、図１０の（ａ）及び（ｂ）に示すように、雌ネジ孔２ｂ−５とするかまたは通し孔２ｂ−６とする。この場合、雌ネジ孔２ｂ−５はその呼び径をＭ３としたものであり、通し孔２ｂ−６の内径は４ｍｍ程度とする。
【００４９】
図１０の（ａ）の表面側からのディスプレイパネル１の取付けでは、その呼び径がＭ３であって、マウントプレート２の雌ネジ孔２ｂ−５に螺合できる程度の軸線長さの取付けビス１４を使用する。そして、取付けに際しては、スペーサ１３は用いないものとし、取付けビス１４を通し孔１２ａから差し込んでマウントプレート２の雌ネジ孔２ｂ−５にねじ込めば、取付けビス１４によってマウントプレート２に直にディスプレイパネル１を固定することができる。また、その取り外しも、先の例と同様にマウントプレート２の表面側から取付けビス１４を逆向きに回せばよい。すなわち、図７の（ａ）で示した例と全く同じ要領で、マウントプレート２に対してディスプレイパネル１を着脱することができる。
【００５０】
図１０の（ｂ）の裏面側からのディスプレイパネル１の取付けの仕様とする場合では、ディスプレイパネル１の装着溝１２ｂにスペーサ１３を組み込み、その雌ネジ孔１３ａにねじ込まれるスペーサ固定ビス１５によってスペーサ１３をディスプレイパネル１に一体に組み込む。すなわち、マウントプレート２をその裏面側から取り付ける仕様とする場合では、ディスプレイパネル１に予め形成した装着溝１２ｂの中にスペーサ１３を取り付ける組立てを先に行う。次いで、その呼び径がＭ３．５の取付けビス１６を通し孔２ｂ−６に通して装着溝１２ｂの中に固定されているスペーサ１３の雌ネジ孔１３ａにねじ込むことにより、ディスプレイパネル１をマウントプレート２の裏面側からの操作によってこのマウントプレート２に固定することができる。また、その取り外しも取付けビス１６を逆向きに回せば、スペーサ１３をそのままディスプレイパネル１に残してマウントプレート２からディスプレイパネル１を取り外すことができる。
【００５１】
なお、ユーザー側でマウントプレートを作成する場合、ディスプレイパネル１の取付け用の孔を、マウントプレート側の取付け用の孔に合わせて使用できない場合がある。すなわち、図９の（ａ）のようにスペーサ１３の雌ネジ孔１３ａを設けたものをユーザー側に納品しても、マウントプレートの取付け孔の位置があわないことがある。これに対して、ユーザー側で雌ネジ孔１３ａとは別の位置でマウントプレート２側の取付け用の孔に対応する雌ネジ孔１３ａ−１をスペーサ１３に加工し、更にマウントプレート２にも雌ネジ孔１３ａ−１取付け用の孔を開けるようにしておけば、締め付け位置を自由に変更することができる。したがって、ユーザー側のマウントプレートの仕様が様々であっても、以上のような対応により、ディスプレイパネル１の取付けが可能となる。
【００５２】
【発明の効果】
本発明では、画像表示装置側のマウントプレートに対してディスプレイパネルをその表面側またはマウントプレートの裏面側からのいずれの方向からの操作でも取付け及び取り外しができるので、ディスプレイパネルのマウントプレートに対する組立てや保守点検の作業を簡単にすることができる。また、マウントプレートの画像表示装置の本体に対するアセンブリに対しても、ディスプレイパネルの両面取付けが可能な特長を活かすことによって、設計の自由度を向上させることができ、新規な形態の画像表示装置の提供も可能となる。
【図面の簡単な説明】
【図１】本発明の一実施の形態によるディスプレイパネルのマウントプレートへの取付け構造の一般的な概要を示す分解斜視図
【図２】ディスプレイパネルの詳細であって、
（ａ）は正面図
（ｂ）は背面図
【図３】インサートナットを用いる例であって図２の（ａ）のＡ−Ａ切欠右側面図
【図４】マウントプレートへのディスプレイパネルの取付けの要領を示す図であって、
（ａ）は前面側からの取付けを示す図
（ｂ）は背面側からの取付けを示す図
【図５】ボスを利用する例を示す図であって、
（ａ）はディスプレイパネルの切欠右側面図
（ｂ）はボス取付け孔部分を示す要部の背面図
【図６】ボスの例であって、
（ａ）は図５に示した例図
（ｂ）は変容例を示す概略斜視図
（ｃ）は変容例を示す概略斜視図
【図７】ボスを利用したときのマウントプレートへのディスプレイパネルの取付けの要領を示す図であって、
（ａ）は前面側からの取付けを示す図
（ｂ）は背面側からの取付けを示す図
【図８】スペーサを利用する例を示すディスプレイパネルの切欠右側面図
【図９】スペーサの例であって、
（ａ）は図８に示した例図
（ｂ）は変容例を示す概略斜視図
（ｃ）は変容例を示す概略斜視図
【図１０】スペーサを利用したときのマウントプレートへのディスプレイパネルの取付けの要領を示す図であって、
（ａ）は前面側からの取付けを示す図
（ｂ）は背面側からの取付けを示す図
【図１１】従来例であって、前面側からのディスプレイパネルの取付け要領を示す概略図
【図１２】従来例であって、裏面側からのディスプレイパネルの取付け要領を示す概略図
【符号の説明】
１  ディスプレイパネル
２  マウントプレート
２ａ  開口
２ｂ  操作孔
２ｂ−１，２ｂ−３，２ｂ−５  雌ネジ孔
２ｂ−２，２ｂ−４，２ｂ−６  通し孔
３  ＬＥＤ
３ａ  基板
３ｂ  防水パッキン
４ａ  通し孔
４ｂ  インサートナット
５  取付けビス
６  取付けビス
６ａ  補助ビス
７ａ  通し孔
７ｂ  ボス取付け孔
８  ボス
８ａ  雌ネジ孔
９  取付けビス
１０  ボス固定ビス
１１  取付けビス
１２ａ  通し孔
１２ｂ  装着溝
１３  スペーサ
１３ａ  雌ネジ孔
１４  取付けビス
１５  スペーサ固定ビス
１６  取付けビス
【図１】
0003674294.tif 000002
【図２】
0003674294.tif 000003
【図３】
0003674294.tif 000004
【図４】
0003674294.tif 000005
【図５】
0003674294.tif 000006
【図６】
0003674294.tif 000007
【図７】
0003674294.tif 000008
【図８】
0003674294.tif 000009
【図９】
0003674294.tif 000010
【図１０】
0003674294.tif 000011
【図１１】
0003674294.tif 000012
【図１２】
0003674294.tif 000013